(57)【要約】【課題】  地震等の不慮の災害に備えて流量計にはガス遮断機構が設けられている。しかし、地震等で家屋が破壊された場合、ガスボンベと流量計の間には前記圧力調整器や流量計までに配管があり、この配管部分が破損してガスの大気への拡散の危険性がある。【解決手段】  本発明の圧力調整器は、ガス流入口を開閉する弁体と、リンク機構を介して前記弁体を駆動するレバーと、前記レバーと係合されたステムと、前記ステムを上下動させるシャフトと駆動装置からなる圧力調整器で、前記駆動装置が電気信号によって駆動されると前記シャフトと前記ステムと前記レバーを機械的に動作させて、前記弁体を閉塞させる機構を有する。【選択図】  図１
2007078240.tif 000002
【特許請求の範囲】
【請求項１】
ガス流入口を開閉する弁体と、前記弁体を駆動するレバーと、前記レバーに係合し一部をダイアフラムに固定されたステムと、前記ステムを駆動する駆動手段とを有する圧力調整装置において、前記駆動手段が動作したとき、前記ステムと前記弁体を駆動するレバーを介して前記弁体を閉塞させることを特徴とした圧力調整器の弁開閉機構。
【請求項２】
前記駆動部材の一部に、前記駆動装置によって前記駆動部材が作動する以前の状態に復帰させる復帰部材を設置したことを特徴とした請求項１に記載の圧力調整器の弁開閉機。
【請求項３】
前記駆動装置は制御回路を介してセンサ装置と接続していることを特徴とした請求項１に記載の圧力調整器の弁開閉機構。
【発明の詳細な説明】
【技術分野】
【０００１】
本発明は、ガスボンベ等に接続され、圧力流体の供給を自動的に停止可能な圧力調整器の弁開閉機構に関するものである。
【背景技術】
【０００２】
家庭用ガス器具にプロパンガスを供給するにはプロパンガスボンベと家庭用配管の間に減圧弁を接続する必要がある。前記減圧弁以降は消費したガスの量を測定する流量計及びコックを介して家庭内のガス器具に接続されている。
【特許文献１】特開平２−１７２７５号公報
【発明の開示】
【発明が解決しようとする課題】
【０００３】
図３に示すように従来、ガスボンベ６は圧力調整器４１を介して流量表示部４４と流量計測部４５とガス遮断部４６を備えたガス流量計７に接続されている。さらに流量計７からコック４３を介してガス器具４２にガスが送られる。しかし、このような構成において地震等で家屋が破壊された場合、ガスボンベ６と流量計７の間には前記圧力調整器４１や流量計７までに配管があり、この配管部分が破損してガスの大気への拡散の危険性がある。
【０００４】
本発明は、このような事情に鑑みなされたものであって、その目的は、圧力調整器４１にガス遮断機構を設けかつ前記圧力調整器をガスボンベに装着させることであって、地震等の災害時にもガスの大気中への拡散を防止できる圧力調整器を提供することにある。
【課題を解決するための手段】
【０００５】
本発明は、前記課題を解決するための手段として以下の圧力調整器を提供する。
本発明の圧力調整器は、ガス流入口を開閉する弁体と、リンク機構を介して前記弁体を駆動するレバーと、前記レバーと係合されたステムと、前記ステムを上下動させる駆動部材のシャフトと駆動装置からなる圧力調整器で、前記駆動装置が電気信号によって駆動されると前記シャフトと前記ステムと前記レバーを機械的に動作させて、前記弁体を閉塞させることを特徴とする。
【０００６】
ステムを上下動させるシャフトは復帰バネ等からなる復帰部材を具備し、地震がおさまった後にガスの送出を正常復帰させる為に弁体を人為的に閉塞状態から開放状態にするような復帰機能を有することを特徴とする。
【０００７】
地震が発生すると、地震を検知する加速度センサから駆動装置に制御回路を通して電気信号が送られる。この信号によって例えばソレノイドで構成される駆動装置の可動棒が一時的に上に引っ張りあげられて、シャフトに具備されている突起物と復帰バネからなる復帰部材による機構でラッチ機能を実現している。
【０００８】
シャフトに設けられた他の突起物はステムを上下方向に動かすことが出来る。
【０００９】
一般的に圧力調整器はダイアフラムで区分されたガス室と大気圧室を持っている。電気信号によって駆動される駆動装置、例えばソレノイドのような物はインダクタンス成分があるために電気的に駆動されると火花を飛ばすことがある。これはガスにとっては危険である為に、駆動装置自体に適切な防爆構造を有している。
【００１０】
制御回路を介して駆動装置は制御回路を介して地震を検知するのに有効である加速度センサまたは振動センサに接続されていることを特徴とする。
【発明の効果】
【００１１】
本発明に係る圧力調整器によれば、圧力調整のみならず地震等の不慮の災害に対して安全なガスの供給を行うことが出来るという効果がある。
【発明を実施するための最良の形態】
【００１２】
以下、本発明に係る圧力調整器についての実施の形態について、図を参照しながら説明する。なお、図１は本発明に係る圧力調整器の通常使用時の断面図、図２は圧力調整器の異常発生時（地震発生後）の断面図である。
【００１３】
図１は、本発明に係る通常状態使用時での圧力調整器の断面図である。圧力調整器の外囲器は調節弁ベース１と調節弁上蓋（Ａ）２と調節弁上蓋（Ｂ）３とで構成されている。また、調節弁ベース１と調節弁上蓋（Ａ）２との間にはガスが通過する一次側パイプ４と二次側パイプ５が挿入されている。この時、一次側パイプ４は図３のガスボンベ６に繋がれており、二次側パイプ５は流量計７に繋がれている。また一次側パイプ４の先端はノズル１９になっており二次側バルブ９の片側である二次側ゴム弁８と隙間３１が生じている。
【００１４】
レバー１０はレバーピン１１を支点として、その両端はステム１２と二次側バルブ９に接続されている。これによりステム１２の上下の動きを二次側バルブ９の左右の動きに変換する役目を持っている。
【００１５】
圧力調整器はダイアフラム１３でガス室１４と大気圧室１５に分離されている。ダイアフラム１３はシール部４７を持った受圧板１６で補強され、二次圧調整バネ１７を介して固定板１８とチェックバネ４８を介してチェックバネ座４９と対峙している。二次圧調整バネ１７とチェックバネ４８の付勢力によりステム１２はダイアフラム１３に押し付けられている。この結果ステム１２はダイアフラム１３の撓みにあわせて上下する。
【００１６】
シャフト２０には突起２１と段差２２が設けられている。またシャフト２０は弾性部材である復帰バネ２３により図面上、左方向に付勢されている。この付勢力を駆動装置２４、具体的にはプル型ソレノイド２４の可動棒２５と突起２１が接触することによってシャフト２０が左方向へ移動することを阻止している。また、プル型ソレノイド２４は制御回路２７を介して加速度センサ２６の電気信号により駆動される。さらにステム１２は固定板１８とシャフト２０にあけられた穴部３０に通されており、シャフト２０が動作したときにシャフト２０に設けられた段差２２と係合するステム突起部２９をも有している。
その様子を図４に示す。
【００１７】
次に通常使用時での動作を説明する。ガスボンベ６からのガスは一次側パイプを通り、ノズル１９と二次側ゴム弁８との間に出来た隙間３１からガス室１４に入り、その圧力に応じてダイアフラム１３を上に押し上げる。この時、ステム１２も同時に上方向に移動する。この動きはレバー１０によって二次側バルブ９の左方向の動きに変えられる。この結果、ノズル１９と二次側ゴム弁８との隙間３１は狭くなり、ガスのガス室への流入量が減少する。これによりガス室の圧力が減少してダイアフラム１３は下に押し下げられる。するとレバー１０により二次側バルブ９は右側に移動してノズル１９と二次側ゴム弁８との隙間３１が広がる。この繰り返しによりガス室の圧力は平衡状態に保たれる。
【００１８】
次に地震等が起こった時の状態を図２で説明する。加速度センサ２６で検出された地震等の振動は制御回路２７で増幅及びプル型ソレノイド２４を駆動する電気信号に変換される。この電気信号によりプル型ソレノイド２４が一時的に励磁されプル型ソレノイド２４に具備されている可動棒２５を一時的に引き上げる。この結果、可動棒２５と突起２１の接触は解除され復帰バネ２３による付勢力によりシャフト２０はあけられた穴部３０の範囲内で図中左方向に移動する。これによりシャフト２０に設けられた段差２２はステム１２の突起部２９と係合しステム１９を図中の上方に押し上げる。この動きはそれに接続されているレバー１０を介して二次用バルブ９を図中左方向に移動させる。この結果、二次側ゴム弁とノズル１９で閉塞状態になり一次側バルブから流入してくるガスを遮断する。
ここで制御回路２７と加速度センサ２６は大気圧室１５内に配置されてもその機能に変わりはない。
【００１９】
地震等がおさまり安全状態が確認されてからガスの閉塞を解除する場合を以下に説明する。プル型ソレノイド２４の可動棒２５は一時的に上方に引き上げられた後には通常の状態すなわち、可動棒２５が下方に引き下げられた状態に復帰する。この状態でシャフト２０の先端に具備された復帰ボタン２８を手動で右方向に押し込む。この結果可動棒２５は突起２１を乗り越えて突起２１の左側に移動し図１の通常使用時の状態に戻る。この状態がラッチ状態である。
【００２０】
プル型ソレノイドは無通電時でも可動棒２５が上方向に可動できるタイプのものを使用する。復帰ボタン２８を手動で右方向に押し込むことによりシャフト２０が右方向に移動するのでステム１２の突起部２９から段差２２がはずれステム１２はダイアフラム１３の弾性と二次圧調整バネ１７によって、大気圧室１５とガス室１４の圧力の平衡する位置まで移動することになり、この結果ノズル１９、二次側ゴム弁８、二次側バルブ９、レバー１０の状態  は図１に示した通常使用時の状態に復帰する。
【００２１】
なお、本発明の技術範囲は上述した実施の形態に限定されるものではなく、本発明の趣旨を逸脱しない範囲において種々の変更を加えることが可能である。
例えば、駆動装置２４としてプル型ソレノイドの代わりにロータリソレノイドやモータを使用してもこの機能は達成できる。この時大切なことは、プル型ソレノイドでもロータリソレノイドでもモータでも、通電時にスパークが生じても大気圧室に充満しているかもしれないガスに引火しないような防爆機構が施されていることである。
【００２２】
さらに電気信号によりプル型ソレノイド２４が一時的に励磁されプル型ソレノイド２４に具備されている可動棒２５を一時的に引き上げるとあるが、この引き上げ状態が持続していても良い。これを持続させる為にはソレノイド２４を通電状態にしておけば可能である。この時のメリットは、復帰ボタン２８を何度か押すことによってノズル１９に二次側ゴム弁８を押し当てることで、隙間３１に挟まったゴミを除去することが出来ることである。ゴミが除去できた段階で、復帰ボタン２８を押し込みプル型ソレノイド２４の通電を解除すれば、図１に示した通常使用時の状態に復帰する。
【００２３】
また本発明では加速度センサを用いて説明したがその用途に応じてその他のセンサ、例えば温度センサ等を用いて火災状態を検知してガスを遮断する働きを持たせることも本構成なら可能である。また加速度センサと制御回路は本発明では圧力調整器の外部に配置したが、これらを圧力調整器内、具体的には大気圧室１５に配置しても、ガス室１４に配置してもよい。
【図面の簡単な説明】
【００２４】
【図１】本発明に係る圧力調整器の通常使用時の断面図である。
【図２】本発明に係る圧力調整器の異常発生時の断面図である。
【図３】従来のガスボンベとガス器具までの接続を示した図である。
【図４】本発明に係る圧力調整器の通常使用時のステムとシャフトの状態を表した斜視図である。
【符号の説明】
【００２５】
４    一次側パイプ
５    二次側パイプ
６    ガスボンベ
７    流量計
８    二次側ゴム弁
９    二次側バルブ
１０  レバー
１１  レバーピン
１２  ステム
１３  ダイアフラム
１４  ガス室
１５  大気圧室
１９  ノズル
２０  シャフト
２３  復帰バネ
２４  駆動装置（プル型ソレノイド）
２５  可動棒
２６  加速度センサ
２８  復帰ボタン
【図１】
2007078240.tif 000003
【図２】
2007078240.tif 000004
【図３】
2007078240.tif 000005
【図４】
2007078240.tif 000006